(57)【要約】【課題】圧力脈動を抑えることができ、製造容易で小型化可能なブルドン管圧力計の提供。【解決手段】ブルドン管圧力計は、管支持部４の圧力導入路２の圧力源側に絞りユニット１０を内蔵して成る。絞りユニット１０は、管内面同士の圧着面２１ｂに微小通孔ｈが残る圧潰扁平部２１ａを設けた金属製狭窄管本体２１と、圧潰扁平部２１ａの外面に肉付け固着した半田盛り２２と、金属製狭窄管本体２１の端部側を差し込み固着した貫通孔３１を持つ埋め込みネジ３０とを有する。【選択図】      図１
2009192487.tif 000002
【特許請求の範囲】
【請求項１】
圧力源に連通するブルドン管を持つブルドン管圧力計であって、管内面同士の圧着面に微小通孔が残る圧潰扁平部を少なくも１箇所設けた金属製狭窄管本体を前記圧力源から前記ブルドン管への連通経路に用いて成ることを特徴とするブルドン管圧力計。
【請求項２】
請求項１に記載のブルドン管圧力計において、前記圧潰扁平部は金属製狭窄管本体の全長の途中位置にあり、前記圧潰扁平部の外面に接着材部又は溶加材部を肉付け固着して成ることを特徴とするブルドン管圧力計。
【請求項３】
請求項１又は請求項２に記載のブルドン管圧力計において、前記ブルドン管を支持して圧力導入路を持つ管支持体の前記圧力源側に前記金属製狭窄管本体を収容して成ることを特徴とするブルドン管圧力計。
【請求項４】
請求項３に記載のブルドン管圧力計において、前記管支持体は、前記圧力導入路に前記圧力源側で連通して前記金属製狭窄管本体を収容する管収容室と、この管収容室よりも前記圧力源側に形成され、前記金属製狭窄管本体の端部側が差し込み固着された貫通孔を持つ埋め込みネジと螺合するネジ穴とを備えていることを特徴とするブルドン管圧力計。
【請求項５】
圧力導入路を備えブルドン管を支持する管支持体を有するブルドン管圧力計であって、前記管支持体はその外面から前記圧力導入路の開口に連通し前記ブルドン管の管端を差し込んだ管端取着穴を有し、一端が前記圧力導入路の開口に挿入して他端が前記管端内に入り込んだ詰り止め管を備え、この詰り止め管は管内面同士の圧着面に微小通孔の残る圧潰扁平部を少なくも１箇所設けた金属製狭窄管本体であり、前記管端取着穴内において前記管端の内面と前記金属製狭窄管本体の外面との間に接着材又は溶加材を充填し、前記他端の管口を残して前記圧潰扁平部を埋め込んで成ることを特徴とするブルドン管圧力計。
【発明の詳細な説明】
【技術分野】
【０００１】
本発明は、ブルドン管圧力計に関し、特に、圧力脈動を抑えることができるブルドン管圧力計に関する。
【背景技術】
【０００２】
短い周期の圧力変動（圧力脈動）を抑えることができるブルドン管圧力計としては、特開平９−１３８１７１公報に示される如く、圧力導入路の一部に配した封液室の壁に微小孔（孔径０．０１〜０．４ｍｍ）を設けたものが知られている。
【特許文献１】特開平９−１３８１７１公報（図１）
【発明の開示】
【発明が解決しようとする課題】
【０００３】
しかしながら、このブルドン管圧力計は絞り作用を果たす微小孔を持つ封液室を追加することから、小型化が困難であるばかり、微小孔の形成自体も困難である。
【０００４】
そこで、上記問題点に鑑み、本発明の課題は、圧力脈動を抑えることができ、製造容易で小型化可能なブルドン管圧力計を提供することにある。
【課題を解決するための手段】
【０００５】
上記課題を解決するため、本発明の第１の手段は、圧力源に連通するブルドン管を持つブルドン管圧力計であって、管内面同士の圧着面に微小通孔が残る圧潰扁平部を少なくも１箇所設けた金属製狭窄管本体を圧力源からブルドン管への連通経路に用いて成ることを特徴とする。
【０００６】
圧潰扁平部の微小通孔が絞り作用を果たすので、圧力脈動を抑えることができ、また、金属製狭窄管本体は所定のピンチ圧で金属管の一部を圧潰変形するだけで得ることができるため、量産容易でコンパクトであり、細径の連通経路の途中に収容可能となり、製造容易で小型化可能なブルドン管圧力計が得られる。
【０００７】
金属製狭窄管本体の圧潰扁平部は管端であっても構わないが、望ましくは、圧潰扁平部は金属製狭窄管本体の全長の途中位置にあり、圧潰扁平部の外面に接着材部又は溶加材部を肉付け固着して成ることが良い。圧潰扁平部の外面に接着材部又は溶加材部を肉付け固着してあるので、圧潰変形に伴う圧潰扁平部の強度不足を接着材部又は溶加材部で補強でき、しかも、圧潰扁平部が金属製狭窄管本体の全長の途中位置にあるため、微小通孔を閉塞させずに肉付け作業を行うことができる。
【０００８】
この金属製狭窄管本体はブルドン管を支持して圧力導入路を持つ管支持体の圧力源側に収容できる。具体的な収納構造として、管支持体は、圧力導入路に圧力源側で連通して金属製狭窄管を収容する管収容室と、この管収容室よりも圧力源側に形成され、金属製狭窄管本体の端部側が差し込み固着された貫通孔を持つ埋め込みネジと螺合するネジ穴とを備えている。従前の圧力導入路中に内蔵できるため、小型化を図ることができる。
【０００９】
本発明の第２の手段は金属製狭窄管本体をブルドン管側に設けたものである。即ち、圧力導入路を備えブルドン管を支持する管支持体を有するブルドン管圧力計であって、管支持体はその外面から圧力導入路の開口に連通しブルドン管の管端を差し込んだ管端取着穴を有し、一端が前記圧力導入路の開口に挿入して他端が管端内に入り込んだ詰り止め管を備え、この詰り止め管は管内面同士の接合に微小通孔の残る圧潰扁平部を少なくも１箇所設けた金属製狭窄管本体であり、管端取着穴内において管端の内面と金属製狭窄管本体の外面との間に接着材又は溶加材を充填し、他端の管口を残して圧潰扁平部を埋め込んで成ることを特徴とする。
【００１０】
このブルドン管と管支持体との接合作業においては、詰り止め管としての金属製狭窄管本体の一端を圧力導入路の開口に差し込み、管端取着穴に接着材又は溶加材を金属製狭窄管本体の他端が埋まらない程度に充填してブルドン管の管端を管端取着穴に差し込むと、管端の外面と管端の内面との間に接着材又は溶加材が介在すると同時に、管端の内面と金属製狭窄管本体の外面との間に接着材又は溶加材が介在することになるため、管端の内外両面が固着されて抜け耐力が向上すると共に、接着材又は溶加材が圧力導入路の開口と金属製狭窄管本体の口に入り込むことがない。また、金属製狭窄管本体の圧潰扁平部が接着材又は溶加材で埋まることから、圧潰扁平部も補強でき、しかも、金属製狭窄管本体の収容部を管支持体に格別設ける必要がないことから、ブルドン管圧力計の小型化を図ることができる。なお、管支持体は合成樹脂製とすることもできる。
【発明の効果】
【００１１】
本発明によれば、圧力脈動を抑えることができ、製造容易で小型化可能なブルドン管圧力計を提供できる。
【発明を実施するための最良の形態】
【００１２】
次に、本発明の実施例を添付図面に基づいて説明する。
【実施例１】
【００１３】
図１は本発明の実施例１に係るブルドン管圧力計を表示器の諸部品を除いて示す正面図、図２（Ａ）は同ブルドン管圧力計において用いる金属製狭窄管本体を示す正面図、図２（Ｂ）は図２（Ａ）中のｂ−ｂ′線で切断した状態を示す横断面図、図２（Ｃ）は同金属製狭窄管本体の圧潰扁平部に半田盛りした状態を示す正面図、図３（Ａ）は同金属製狭窄管本体を管支持体に収容する際に使用する埋め込みネジを示す縦断面図、図３（Ｂ）は同埋め込みネジに同金属製狭窄管本体を取着した状態を示す正面図である。
【００１４】
本例のブルドン管圧力計は、Ｃ型で伸銅品である肉薄の扁平形ブルドン管１を収めた扁平円柱状の表示器（図示せず）と、ブルドン管１に連通する圧力導入路２を備えて圧力源側の螺子穴（図示せず）に螺合する雄ネジ部３を持つ管支持体（いわゆる下部又は株）４と、ブルドン管１の自由端１ａから指針軸に固定されたピニオン５までを変位拡大機構６として支持するプレート７とを組み立てて成る。プレート７は管支持体４の上端側にねじ止めされており、ブルドン管１の管端（固定端）１ｂは管支持体４の一側面に形成された管端取着穴Ｈに差し込み固定されている。
【００１５】
管支持体４は、管端取着穴Ｈに通じる圧力導入路３に雄ネジ部３側で連通する管収容室８と、この管収容室８よりも圧力源側で連通するネジ穴９を有する。管収容室８は圧力導入路３よりも拡径穴であり、ネジ穴９は管収容室８よりも拡径穴である。
【００１６】
この管収容室８とネジ穴９とには、図３（ｂ）に示す絞りユニット１０が収容されている。この絞りユニット１０は、図２（Ｃ）に示す金属製狭窄管２０と、この金属製狭窄管の端部側が差し込み固着された貫通孔３１を持つ図３（Ａ）に示す埋め込みネジ３０とを有する。金属製狭窄管２０は、図２（Ａ）（Ｂ）に示す如く、リン青銅製の丸形金属管（例えば外形数ミリ）の途中を挟圧塑性変形して管内面同士の圧着面２１ｂに微小通孔ｈが残る圧潰扁平部２１ａを２箇所設けた金属製狭窄管本体２１を有し、圧潰扁平部２１ａの外面に半田盛り２２を肉付け固着して成る。図２（Ｂ）から判るように、管内面同士の圧着面の端に断面非円形の平状の微小通孔ｈが残っている。絞りユニット１０の金属製狭窄管２０側をネジ穴９に差し込んで埋め込みネ３０をネジ穴９に螺合することにより、金属製狭窄管２０が管収容室８に嵌合収容される。
【００１７】
本例においては、高圧状態では圧力流体は圧力源から埋め込みネジ３０の貫通孔３１に嵌る金属製狭窄管本体２１の微小通孔ｈを介して管収容室８に徐々に入り込、圧力導入路２を通ってブルドン管１へ進入し、一定時間が経過して最高圧力に達した後は、微小通孔ｈが絞り作用を果し圧力伝達が遅延して圧力脈動を抑制できるため、最高圧力値を保持する。
【００１８】
このように、本例においては、圧潰扁平部２１ａの微小通孔ｈが絞り作用を果たすので、圧力脈動を抑えることができ、また、金属製狭窄管本体２１は所定のピンチ圧で金属管の一部を圧潰するだけで得ることができるため、量産容易でコンパクトであり、細径の連通経路の途中に収容可能となり、製造容易で小型化可能なブルドン管圧力計が得られる。また、圧潰扁平部２１ａの外面に半田盛り２２を肉付け固着してあるので、圧潰変形に伴う圧潰扁平部２１ａの強度不足を半田盛り２２で補強でき、しかも、圧潰扁平部２１ａが金属製狭窄管本体２１の全長の途中位置にあるため、微小通孔ｈを閉塞させずに肉付け作業を行うことができる。
【００１９】
なお、上記のようなＣ型のブルドン管１を持つブルドン管圧力計に限らず、ヘリカル型のブルドン管を持つブルドン管圧力おいても絞りユニット１０を採用しても良い。
【実施例２】
【００２０】
図４（Ａ）は本発明の実施例２に係るブルドン管圧力計を表示器の諸部品を除いて示す正面図、図４（Ｂ）はその右側面図である。なお、図４において図１に示す部分と同一部分には同一参照符号を示し、その説明は省略する。
【００２１】
本例はバック型のブルドン管圧力計であり、この管支持体１４は、ブルドン管１の管端（固定端）１ｂ側を受けて支持するフック部１４ａと、Ｃ型のブルドン管１の中央部分から背後に延在する圧力源接続部１４ｂを有する。この圧力源接続部１４ｂの圧力導入路２′に一端が差し込まれた中継管１５の他端はブルドン管１の管端１ｂ内に差し込まれて封止されている。圧力源接続部１４ｂの雄ネジ部３′側の圧力導入路２′内には絞りユニット１０が収容されている。
【００２２】
このような構成のブルドン管圧力計においても、絞りユニット１０が内蔵されているため、実施例１と同様な効果を奏する。
【００２３】
なお、上記のバック型のブルドン管圧力計において中継管１５内に金属製狭窄管２０を設けても良いし、中継管１５の一部に圧潰扁平部２１ａを設けても必要ならば半田盛り２２を肉付け固着しても構わない。また、上記のバック型の管支持部１４でヘリカル型のブルドン管を備える圧力計においても、絞りユニット１０を採用することができる。
【実施例３】
【００２４】
図５は本発明の実施例３においてブルドン管の管端を管支持体に接合した状態を示す部分断面図である。
【００２５】
本例は実施例１に示す管支持体４のブルドン管１側におけて金属製狭窄管本体２１を採用したものである。即ち、管支持体４はその側面４ａから圧力導入路２の開口に連通しブルドン管１の管端１ｂを差し込んだ管端取着穴Ｈを有しているが、一端が圧力導入路２の開口に挿入して他端が管端１ｂ内に入り込んだ詰り止め管として金属製狭窄管本体２１を備えている。管端取着穴Ｈ内において管端１ｂの内面と金属製狭窄管本体２１の外面との間に半田Ｍを充填し、他端の管口を残して圧潰扁平部２１ａを埋め込んで成る。
【００２６】
このブルドン管１と管支持体４との接合作業においては、詰り止め管としての金属製狭窄管本体２１の一端を圧力導入路２の開口に差し込み、管端取着穴Ｈに半田Ｍを金属製狭窄管本体２１の他端が埋まらない程度に充填してブルドン管１の管端１ｂを管端取着穴Ｈに差し込むと、管端１ｂの外面と管端１ｂの内面との間に半田Ｍが介在すると同時に、管端１ｂの内面と金属製狭窄管本体２１の外面との間に半田Ｍが介在することになるため、管端１ｂの内外両面が固着されて抜け耐力が向上すると共に、半田Ｍが圧力導入路２の開口と金属製狭窄管本体２１の口に入り込むことがない。また、金属製狭窄管本体２１の圧潰扁平部２１ａが半田Ｍで埋まることから、圧潰扁平部２１ａも補強でき、しかも、金属製狭窄管本体２１の収容部を管支持体４に格別設ける必要がないことから、ブルドン管圧力計の小型化を図ることができる。
【００２７】
なお、管支持体４を合成樹脂製とする場合は接着材を用いる。
【図面の簡単な説明】
【００２８】
【図１】本発明の実施例１に係るブルドン管圧力計を表示器の諸部品を除いて示す正面図である。
【図２】（Ａ）は同ブルドン管圧力計において用いる金属製狭窄管本体を示す正面図、（Ｂ）は（Ａ）中のｂ−ｂ′線で切断した状態を示す横断面図、（Ｃ）は同金属製狭窄管本体の圧潰扁平部に半田盛りした状態を示す正面図である。
【図３】（Ａ）は同金属製狭窄管本体を管支持体に収容する際に使用する埋め込みネジを示す縦断面図、（Ｂ）は同埋め込みネジに同金属製狭窄管本体を取着した状態を示す正面図である。
【図４】（Ａ）は本発明の実施例２に係るブルドン管圧力計を表示器の諸部品を除いて示す正面図、（Ｂ）はその右側面図である。
【図５】本発明の実施例３においてブルドン管の管端を管支持体に接合した状態を示す部分断面図である。
【符号の説明】
【００２９】
１…扁平形ブルドン管
１ａ…自由端
１ｂ…管端（固定端）
２，２′…圧力導入路
３，３′…雄ネジ部
４，１４…管支持体
４ａ…側面
５…ピニオン
６…変位拡大機構
７…プレート
８…管収容室
９…ネジ穴
１０…絞りユニット
１４ａ…フック部
１４ｂ…圧力源接続部
１５…中継管
２０…金属製狭窄管
２１…金属製狭窄管本体
２１ａ…圧潰扁平部
２１ｂ…圧着面
２２…半田盛り
３１…貫通孔
３０…埋め込みネジ
Ｈ…管端取着穴
ｈ…微小通孔
Ｍ…半田
【図１】
2009192487.tif 000003
【図２】
2009192487.tif 000004
【図３】
2009192487.tif 000005
【図４】
2009192487.tif 000006
【図５】
2009192487.tif 000007